(57)【要約】      （修正有）【課題】左右の建物が異なる左右方向に揺れ動いても、異なる前後方向に揺れ動いても、隙間が生じることなく、その揺れ動きを吸収することができる壁面用目地装置を得るにある。【解決手段】左右の壁躯体にヒンジ部材４を介して取付けられた左右の取付け金具５と、一方の取付け金具に一端が枢支され、他端部が他方の取付け金具に水平方向にスライド移動可能に枢支された少なくとも2個の中央維持リンク機構９と、この中央維持リンク機構９の中央枢支部あるいは中央枢支部に枢支された支持バーに常時外方へ突出するように付勢状態で中央部が取付けられた中央目地プレート１４と、この中央目地プレートの中央部に、傾斜面が形成された先端部が支持され、後端部が取付け金具５に回動可能に取付けられた一方の目地プレート１７と他方の目地プレート２０とで壁面用目地装置を構成する。【選択図】  図３
2008095321.tif 000002
【特許請求の範囲】
【請求項１】
目地部を介した左右の壁躯体の外壁面より内側位置の目地部側部位にヒンジ部材を介して取付けられた左右の取付け金具と、この左右の取付け金具の一方の取付け金具に一端が枢支され、他端部が他方の取付け金具に枢支あるいは水平方向にスライド移動可能に枢支された中央部に中央枢支部を有する少なくとも2個の中央維持リンク機構と、この少なくとも２個の中央維持リンク機構の中央枢支部あるいは中央枢支部に枢支された支持バーに常時外方へ突出するように付勢状態で中央部が取付けられた前記目地部のほぼ半分の幅寸法で、前記他方の取付け金具側に目地部が狭くなると前記他方の取付け金具と中央維持リンク機構との間に入り込んで、該中央維持リンク機構の他方側を後方へスライド移動させる傾斜面の支持片を有する中央目地プレートと、この中央目地プレートの中央部に傾斜面が形成された先端部が支持され、後端部が前記一方の取付け金具に先端部が水平方向に回動可能に取付けられた一方の目地プレートと、この一方の目地プレートの先端部が常時前記中央目地プレートに支持されるように付勢する一方の目地プレート付勢機構と、前記中央目地プレートの中央部に前記一方の目地プレートの傾斜面に乗り上がるような傾斜面が形成された先端部が支持され、後端部が前記他方の取付け金具に固定された他方の目地プレートと、この他方の目地プレートの先端部を常時前記中央目地プレートに支持されるように付勢する他方の目地プレート付勢機構とからなることを特徴とする壁面用目地装置。
【請求項２】
目地部を介した左右の壁躯体の外壁面より内側位置の目地部側部位にヒンジ部材を介して取付けられた左右の取付け金具と、この左右の取付け金具の一方の取付け金具に一端が枢支され、他端部が他方の取付け金具に水平方向にスライド移動可能に枢支された中央部に中央枢支部を有する少なくとも2個の中央維持リンク機構と、この少なくとも２個の中央維持リンク機構の中央枢支部あるいは中央枢支部に枢支された支持バーに常時中央維持リンク機構側へ押し圧するように付勢状態で中央部が取付けられた前記目地部のほぼ半分の幅寸法で、前記他方の取付け金具側に目地部が狭くなると前記他方の取付け金具と中央維持リンク機構との間に入り込んで、該中央維持リンク機構の他方側を後方へスライド移動させる傾斜面の支持片を有する中央目地プレートと、この中央目地プレートの中央部に傾斜面が形成された先端部が支持され、後端部が前記一方の取付け金具に先端部が水平方向に回動可能に取付けられた一方の目地プレートと、この一方の目地プレートの先端部が常時前記中央目地プレートに支持されるように付勢する一方の目地プレート付勢機構と、前記中央目地プレートの中央部に前記一方の目地プレートの傾斜面に乗り上がるような傾斜面が形成された先端部が支持され、後端部が前記他方の取付け金具に固定された他方の目地プレートと、この他方の目地プレートの先端部を常時前記中央目地プレートに支持されるように付勢する他方の目地プレート付勢機構とからなることを特徴とする壁面用目地装置。
【請求項３】
目地部を介した左右の壁躯体の外壁面より内側位置の目地部側部位にヒンジ部材を介して取付けられた左右の取付け金具と、この左右の取付け金具の一方の取付け金具に一端が枢支され、他端部が他方の取付け金具に水平方向にスライド移動可能に枢支された中央部に中央枢支部を有する少なくとも2個の中央維持リンク機構と、この少なくとも２個の中央維持リンク機構の中央枢支部あるいは中央枢支部に枢支された支持バーに常時外方へ突出するように付勢状態で中央部が取付けられた前記目地部のほぼ半分の幅寸法で、前記他方の取付け金具側に目地部が狭くなると前記他方の取付け金具と中央維持リンク機構との間に入り込んで、該中央維持リンク機構の他方側を後方へスライド移動させる傾斜面の支持片を有する中央目地プレートと、この中央目地プレートの中央部に傾斜面が形成された先端部が支持され、後端部が前記一方の取付け金具に先端部が水平方向に回動可能に取付けられた一方の目地プレートと、この一方の目地プレートの先端部が常時前記中央目地プレートに支持されるように付勢する一方の目地プレート付勢機構と、前記中央目地プレートの中央部に前記一方の目地プレートの傾斜面に乗り上がるような傾斜面が形成された先端部が支持され、後端部寄りの部位が前記他方の取付け金具に水平方向にスライド移動可能に取付けられた他方の目地プレートと、この他方の目地プレートの先端部を常時前記中央目地プレートに支持されるように付勢する他方の目地プレート付勢機構とからなることを特徴とする壁面用目地装置。
【発明の詳細な説明】
【技術分野】
【０００１】
本発明は目地部を介して建てられた左右の建物の左右の壁躯体間を覆う壁面用目地装置に関する。
【背景技術】
【０００２】
従来、左右の建物間の目地部を覆う壁面用目地装置は、目地部とほぼ同じ寸法の目地カバーを用いるものや、目地プレートの先端部を傾斜面に形成し、該目地プレートの先端部を受ける壁躯体に目地部が狭くなると目地プレートの先端部を外方へガイドする傾斜面が形成された凹部を用いるものが考えられている。
【０００３】
しかしながら、前者は左右の建物の外壁面がタイル貼りの場合には美観が損なわれるという欠点があった。
また、後者は目地部が狭くなるように揺れ動いた場合には目地プレートの先端部が外方へ突出して危険になるという欠点があった。
【特許文献１】特許第３６６２１７３号
【発明の開示】
【発明が解決しようとする課題】
【０００４】
本発明は以上のような従来の欠点に鑑み、左右の建物が異なる左右方向に揺れ動いても、隙間が生じることなく、その揺れ動きを吸収することができるとともに、異なる前後方向に揺れ動いても外方へ目地プレートが突出して危険な状態になるのを防止することができ、かつ左右の建物がタイル貼りの外壁面である場合にはタイル貼りの目地プレートを用いることができる壁面用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介した左右の壁躯体の外壁面より内側位置の目地部側部位にヒンジ部材を介して取付けられた左右の取付け金具と、この左右の取付け金具の一方の取付け金具に一端が枢支され、他端部が他方の取付け金具に枢支あるいは水平方向にスライド移動可能に枢支された中央部に中央枢支部を有する少なくとも2個の中央維持リンク機構と、この少なくとも２個の中央維持リンク機構の中央枢支部あるいは中央枢支部に枢支された支持バーに常時外方へ突出するように付勢状態で中央部が取付けられた前記目地部のほぼ半分の幅寸法で、前記他方の取付け金具側に目地部が狭くなると前記他方の取付け金具と中央維持リンク機構との間に入り込んで、該中央維持リンク機構の他方側を後方へスライド移動させる傾斜面の支持片を有する中央目地プレートと、この中央目地プレートの中央部に傾斜面が形成された先端部が支持され、後端部が前記一方の取付け金具に先端部が水平方向に回動可能に取付けられた一方の目地プレートと、この一方の目地プレートの先端部が常時前記中央目地プレートに支持されるように付勢する一方の目地プレート付勢機構と、前記中央目地プレートの中央部に前記一方の目地プレートの傾斜面に乗り上がるような傾斜面が形成された先端部が支持され、後端部が前記他方の取付け金具に固定された他方の目地プレートと、この他方の目地プレートの先端部を常時前記中央目地プレートに支持されるように付勢する他方の目地プレート付勢機構とで壁面用目地装置を構成している。
【発明の効果】
【０００７】
以上の説明から明らかなように、本発明にあっては次に列挙する効果が得られる。
【０００８】
（１）目地部を介した左右の壁躯体の外壁面より内側位置の目地部側部位にヒンジ部材を介して取付けられた左右の取付け金具と、この左右の取付け金具の一方の取付け金具に一端が枢支され、他端部が他方の取付け金具に枢支あるいは水平方向にスライド移動可能に枢支された中央部に中央枢支部を有する少なくとも2個の中央維持リンク機構と、この少なくとも２個の中央維持リンク機構の中央枢支部あるいは中央枢支部に枢支された支持バーに常時外方へ突出するように付勢状態で中央部が取付けられた前記目地部のほぼ半分の幅寸法で、前記他方の取付け金具側に目地部が狭くなると前記他方の取付け金具と中央維持リンク機構との間に入り込んで、該中央維持リンク機構の他方側を後方へスライド移動させる傾斜面の支持片を有する中央目地プレートと、この中央目地プレートの中央部に傾斜面が形成された先端部が支持され、後端部が前記一方の取付け金具に先端部が水平方向に回動可能に取付けられた一方の目地プレートと、この一方の目地プレートの先端部が常時前記中央目地プレートに支持されるように付勢する一方の目地プレート付勢機構と、前記中央目地プレートの中央部に前記一方の目地プレートの傾斜面に乗り上がるような傾斜面が形成された先端部が支持され、後端部が前記他方の取付け金具に固定された他方の目地プレートと、この他方の目地プレートの先端部を常時前記中央目地プレートに支持されるように付勢する他方の目地プレート付勢機構とで構成されているので、左右の壁躯体が異なる左右方向に揺れ動き目地部が狭くなる場合には、中央維持リンク機構で中央目地プレートを目地部の中央部に維持するため、一方の目地プレートの先端部の傾斜面に沿って他方の目地プレートが重なるように移動するとともに、中央維持リンク機構の他方側を内側方向へ押し圧され後退させ、他方の目地プレートの先端部が外方へ大きく突出するのを防止することができる。
したがって、安全に使用することができる。
【０００９】
（２）前記（１）によって、左右の壁躯体が異なる前後方向に揺れ動いても、左右の壁躯体の目地部側部位にヒンジ部材を介して取付けられた左右の取付け金具を基に取付けられているので、外方へ突出することなく、その揺れ動きを吸収することができる。
【００１０】
（３）前記（１）によって、左右の壁躯体に応じて、タイル貼りや化粧カバーの目地プレートを用いることができ、美観の向上を図ることができる。
【００１１】
（４）請求項2も前記（１）〜（３）と同様な効果が得られるとともに、一方の目地プレートと他方の目地プレートの強風等による揺れ動きを効率よく阻止することができる。
【発明を実施するための最良の形態】
【００１２】
以下、図面に示す本発明を実施するための最良の形態により、本発明を詳細に説明する。
【００１３】
図１ないし図１２に示す本発明を実施するための最良の第１の形態において、１は外壁にタイル２が貼られた左右の建物３、３の外壁面間の目地部１３を伸縮可能に覆う本発明の外壁用目地装置で、この外壁用目地装置１は前記左右の建物３、３の壁躯体３ａ、３ａの外壁面より内側位置の目地部側部位にヒンジ部材４、４を介して取付けられた一方がアングル材状で、他方がチャンネル材状の左右の取付け金具５、６と、この左右の取付け金具５、６の一方の取付け金具５に一端部が枢支ピン７で枢支され、他方の取付け金具６に水平方向にスライド移動可能に枢支された中央部に中央枢支部８を有する少なくとも２個の四角枠が２個のパンタグラフ状の中央維持リンク機構９、９と、この少なくとも２個の中央維持リンク機構９、９の中央枢支部８、８に枢支ピン１０、１０で枢支された支持バー１１に、常時外方へ突出するように付勢する複数個の付勢機構１２を介して中央部が取付けられた前記目地部１３のほぼ半分の幅寸法の中央目地プレート１４と、この中央目地プレート１４の中央部に傾斜面１５が形成された先端部が支持され、後端部が前記一方の取付け金具５に先端部が水平方向に回動可能にヒンジ部材１６を介して取付けられた一方の目地プレート１７と、この一方の目地プレート１７の先端部が常時前記中央目地プレート１４に支持されるように付勢する、該一方の目地プレート１７の上下端部に取付けられる一方の目地プレート付勢機構１８と、前記中央目地プレート１４の中央部に前記一方の目地プレート１７の傾斜面１５に乗り上がるような傾斜面１９が形成された先端部が支持され、後端部が前記他方の取付け金具６に固定された他方の目地プレート２０と、この他方の目地プレート２０の先端部を常時前記中央目地プレート１４に支持されるように付勢する一端部が前記他方の取付け金具６の先端部に取付けられ、他端部が前記ヒンジ部材４の取付け部位より後方部位の壁躯体３ａに取付けられたコイルスプリング２１を用いた他方の目地プレート付勢機構２２と、前記左右の建物３、３の壁躯体３ａ、３ａと前記一方の目地プレート１７および他方の目地プレート２０との間をシールするシール剤２３、２３とで構成されている。
【００１４】
前記他方の取付け金具６と中央維持リンク機構９、９との取付けは、他方の取付け金具６の内側片６ａに形成されたボルト挿入孔２４に挿入された中央維持リンク機構９の他端部の枢支部９ａに挿入されて、先端部が十分な遊びを有するように突出する長さのボルト２５と、このボルト２５の先端部に螺合されて固定されたナット状のストッパー片２６と、このストッパー片２６と中央維持リンク機構９の他端部との間のボルト２５に介装された、常時中央維持リンク機構９の他端部を他方の取付け金具６方向へ付勢するスプリング２７とで構成されている。
なお、前記他方の目地プレート付勢機構２２の替わりとなるように前記スプリング２７の付勢力を設定しても良い。
【００１５】
前記中央目地プレート１４は図６に示すように、平板状の中央目地プレート本体２８と、この中央目地プレート本体２８の一方の端部より下方へ突出し、下端部がほぼ直角方向に内側に曲げられた一方の支持片２９と、前記中央目地プレート本体２８の他方の端部より下端部が順次外方へ傾斜するように下方へ突出し、目地部が狭くなると他方の取付け金具６と中央維持リンク機構９の他方との間に入り込む他方の支持片３０とで構成されている。
【００１６】
前記複数個の付勢機構１２は図３に示すように、前記中央目地プレート１４の背面中央部に固定されたボルトの頭部を回動可能に係止することができるボルト取付片３１と、このボルト取付片３１に頭部が係止され、前記支持バー１１のボルト挿入孔３２を貫通する長さのボルト３３と、このボルト３３の先端部に螺合されて固定されたナット状のストッパー片３４と、前記ボルト取付片３１と前記支持バー１１との間のボルト３３に介装された、前記中央目地プレート１４を常時外方へ突出するように押し圧するスプリング３５とで構成されている。
【００１７】
前記一方の目地プレート１７は図８に示すように、先端部に傾斜面１５が形成された浅皿状の一方の目地プレート本体３６と、この一方の目地プレート本体３６内にモルタル３７を介して取付けられた、前記左右の建物３、３のタイル２と同様なタイル３８とで構成されている。
【００１８】
前記他方の目地プレート２０は図９に示すように、先端部に傾斜面１９が形成された浅皿状の他方の目地プレート本体３９と、この他方の目地プレート本体３９内にモルタル３７を介して取付けられた前記左右の建物３、３のタイル２と同様なタイル３８とで構成されている。
【００１９】
上記構成の壁面用目地装置１は図１および図２に示すように、左右の建物３、３間の目地部１３は一方の目地プレート１７と他方の目地プレート２０との先端部が近接あるいは当接した状態で覆われている。
地震等によって左右の建物３、３が異なる左右方向に揺れ動いて目地部１３が広くなると、図１０に示すように中央維持リンク機構９、９の両端部は左右の建物３、３と一体になって左右方向に移動するが、中央枢支部８、８は目地部１３の中央部に維持され、中央目地プレート１４も目地部１３の中央部に位置した状態を維持する。
この状態で一方の目地プレート１７と他方の目地プレート２０が左右方向へ移動するため、一方の目地プレート１７と他方の目地プレート２０の先端部は中央目地プレート１４上をスライド移動して、その揺れ動きを吸収する。
【００２０】
目地部１３が狭くなると、図１１に示すように中央維持リンク機構９、９が収縮するが、中央目地プレート１４を目地部１３の中央部に維持させるとともに、他方の目地プレート２０の先端部が一方の目地プレート１７の表面へ乗り上がり、中央目地プレート１４を押し圧スプリング３５に抗して内側へ押し込むため、一方の目地プレート１７の先端部は他方の取付け金具６内へ入り込むとともに、中央目地プレート１４の他方の支持片３０が中央維持リンク機構９、９の他端部と他方の取付け金具６との間に入り込み、スプリング２７、２７の付勢力に抗して内側へ押し込み、他方の目地プレート２０が外方へ突出するのを効率よく阻止する。
なお、揺れ動きが停止した場合には、一方の目地プレート付勢機構１８と他方の目地プレート付勢機構２２によって元の状態へ自動的に戻る。
【００２１】
左右の建物３、３が異なる前後方向に揺れ動いた場合には、図１２に示すようにヒンジ部材４、４の回動によってその揺れ動きを吸収する。
当然、目地部１３が広くなったり、狭くなった状態で異なる前後方向に揺れ動いても、前記の動作にヒンジ部材４、４の回動が加わった動作となる。
[発明を実施するための異なる形態]
【００２２】
次に、図１３ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１３ないし図１７に示す本発明を実施するための第２の形態において、前記本発明を実施するための最良の第１の形態と主に異なる点は、中央目地プレート１４を常時中央維持リンク機構９、９に当接するように付勢する複数個の付勢機構１２Ａを用いるとともに、中央目地プレート１４の高さ寸法よりも高くて、一方の目地プレート１７の先端部が、目地部１３が狭くなると入り込む高さの他方の取付け金具６Ａおよび、該他方の取付け金具６Ａが取付けられる後部底面に凹部４０が形成された他方の目地プレート２０Ａを用いた点で、このように構成した壁面用目地装置１Ａにしても、前記本発明を実施するための最良の第１の形態と同様な作用効果が得られる。
【００２４】
図１８ないし図２０に示す本発明を実施するための第３の形態において、前記本発明を実施するための最良の第１の形態と主に異なる点は、四角枠形状のリンク本体４１と、このリンク本体４１の対向するアーム４１ａ、４１ａの中央部に枢支ピン４２、４２で枢支される中央枢支部８を有する中央リンク４３を備える中央維持リンク機構９Ａ、９Ａを用いるとともに、一方の目地プレート１７の後端部の上部寄りの部位に壁躯体３ａを押し圧するスプリング４４を用いた一方の目地プレート付勢機構１８Ａを用いた点で、このように構成した壁面用目地装置１Ｂにしても、前記本発明を実施するための最良の第１の形態と同様な作用効果が得られる。
【００２５】
図２１ないし図２４に示す本発明を実施するための第４の形態において、前記本発明を実施するための第２の形態と主に異なる点は、先端部に他方の目地プレート２０Ｂをガイドする支持片４５が形成された一方の目地プレート１７Ａを用いるとともに、この一方の目地プレート１７Ａの支持片４５の高さ寸法分だけ薄い他方の目地プレート２０Ｂを用いた点で、このような一方の目地プレート１７Ａと他方の目地プレート２０Ｂを用いて構成した壁面用目地装置１Ｃにしても、前記本発明を実施するための第２の形態と同様な作用効果が得られる。
【００２６】
図２５ないし図２８に示す本発明を実施するための第５の形態において、前記本発明を実施するための最良の第１の形態と主に異なる点は、ボルト挿入筒４７が取付けられた他方の取付け金具６Ｂと、前記ボルト挿入筒４７に挿入され他方の目地プレート２０Cの後端部寄りの部位に取付けられたボルト４８と、このボルト４８の先端に螺合されて固定されたナット状のストッパー片４９と、このストッパー片４９と前記ボルト挿入筒４７との間のボルト４８に介装された、前記他方の目地プレート２０Cと前記他方の取付け金具６Ｂが常時密着するように付勢する他方の目地プレート付勢機構としてのスプリング５０と、コ字状の一方の取付け金具５Ａと、このコ字状の一方の取付け金具５Ａと中央維持リンク機構９の一端部の枢支部９ｂに挿入されて、先端部が十分な遊びを有するように突出する長さのボルト２５と、このボルト２５の先端部に螺合されて固定されたナット状のストッパー片２６と、このストッパー片２６と中央維持リンク機構９の一端部との間のボルト２５に介装された、常時中央維持リンク機構９の他端部を他方の取付け金具６方向へ付勢するスプリング２７とを用いた点で、このような他方の目地プレート２０Cと他方の取付け金具６Ｂと一方の取付け金具５Ａとを用いて構成した壁面用目地装置１Ｄにしても、前記本発明を実施するための最良の第１の形態と同様な作用効果が得られる。
【００２７】
図２９ないし図３４に示す本発明を実施するための第６の形態において、前記本発明を実施するための第３の形態と主に異なる点は、先端部に一方の付勢機構１８の一端部が取付けられている複数のアーム５１が先端部に取付けられた側板５２が、後端部に一体化して取付けられている一方の目地プレート１７Ｂと、先端部に他方の付勢機構２２の一端部が取付けられている複数のアーム５１が先端部に取付けられた側板５２が、後端部に一体化して取付けられている他方の目地プレート２０Ｄと、一方の支持片２９Ａも他方の支持片３０と同様の形状になっている中央目地プレート１４Ａと、中央維持リンク機構９Ａの両端部を前記一方の目地プレート１７Ｂの側板５２、前期他方の目地プレート２０Ｄの側板５２のそれぞれと取付けるためのヒンジ部材５３と、中央維持リンク機構９Ａの中央枢支部８に枢支される支持バー１１Ａのボルト挿入孔３２を貫通するスライドバー５４、このスライドバー５４の後端部に取付けられたスプリング取付片５６、前記スライドバー５４が所定位置より突出しないように止めるためのストッパー５５、前記スプリング取付片５６と前記支持バー１１Ａとの間に取付けられ前記中央目地プレートを常時外方に突出するように付勢するスプリング５７からなる付勢機構１２Ｂとを用いて構成した壁面用目地装置１Ｅにしても、前記本発明を実施するための最良の第３の形態と同様な作用効果が得られる。
【００２８】
なお、前記本発明を実施する各形態では、中央維持リンク機構９、９Ａの中央枢支部８に支持バー１１を枢支ピン１０で枢支して、該支持バー１１に中央目地プレート１４を取付けるものについて説明したが、本発明はこれに限らず、中央維持リンク機構９、９Ａの中央枢支部８に中央目地プレート１４を取付けてもよい。
また、一方の目地プレート１７、１７Ａと他方の目地プレート２０、２０Ａ、２０Ｂにタイル３８以外の石材やその他の外壁化粧材を用いてもよい。
【産業上の利用可能性】
【００２９】
本発明は壁面用目地装置を製造する産業で利用される。
【図面の簡単な説明】
【００３０】
【図１】本発明を実施するための最良の第１の形態の正面図。
【図２】図１の２−２線に沿う断面図。
【図３】図１の３−３線に沿う拡大断面図。
【図４】本発明を実施するための最良の第１の形態の左右の建物の壁躯体に左右の取付け金具を取付けた説明図。
【図５】本発明を実施するための最良の第１の形態の中央維持リンク機構を取付けた説明図。
【図６】本発明を実施するための最良の第１の形態の中央目地プレートの説明図。
【図７】本発明を実施するための最良の第１の形態の中央目地プレートを取付けた説明図。
【図８】本発明を実施するための最良の第１の形態の一方の目地プレートの説明図。
【図９】本発明を実施するための最良の第１の形態の他方の目地プレートの説明図。
【図１０】本発明を実施するための最良の第１の形態の目地部が広くなった動作説明図。
【図１１】本発明を実施するための最良の第１の形態の目地部が狭くなった動作説明図。
【図１２】本発明を実施するための最良の第１の形態の左右の建物が異なる前後方向の動作説明図。
【図１３】本発明を実施するための第２の形態の正面図。
【図１４】図１３の１４−１４線に沿う拡大断面図。
【図１５】本発明を実施するための第２の形態の中央目地プレートの取付け状態の説明図。
【図１６】本発明を実施するための第２の形態の他方の目地プレートの説明図。
【図１７】本発明を実施するための第２の形態の目地部が狭くなった動作説明図。
【図１８】本発明を実施するための第３の形態の正面図。
【図１９】図１８の１９−１９線に沿う拡大断面図。
【図２０】本発明を実施するための第３の形態の中央維持リンク機構を取付けた状態の説明図。
【図２１】本発明を実施するための第４の形態の正面図。
【図２２】図２１の２２−２２線に沿う拡大断面図。
【図２３】本発明を実施するための第４の形態の一方の目地プレートの説明図。
【図２４】本発明を実施するための第４の形態の目地部が狭くなった動作説明図。
【図２５】本発明を実施するための第５の形態の正面図。
【図２６】図２５の２６−２６線に沿う拡大断面図。
【図２７】本発明を実施するための第５の形態の他方の目地プレートと他方の取付け金具の取付け方の説明図。
【図２８】本発明を実施するための第５の形態の目地部が狭くなった動作説明図。
【図２９】本発明を実施するための第６の形態の正面図。
【図３０】図２９の３０−３０線に沿う拡大断面図。
【図３１】本発明を実施するための第６の形態の中央目地プレートの説明図。
【図３２】本発明を実施するための第６の形態の一方の目地プレートの説明図。
【図３３】本発明を実施するための第６の形態の他方の目地プレートの説明図。
【図３４】本発明を実施するための第６の形態の目地部が狭くなった動作説明図。
【符号の説明】
【００３１】
１、１Ａ、１Ｂ、１Ｃ、１Ｄ、１Ｅ：外壁用目地装置、
２：タイル、                      ３：建物、
４：ヒンジ部材、                  
５、５Ａ、５Ｂ、６、６Ａ、６Ｂ、６Ｃ：左右の取付け金具、
７：枢支ピン、                                  ８：中央枢支部、
９、９Ａ：中央維持リンク機構、    １０：枢支ピン、
１１、１１Ａ：支持バー、          １２、１２Ａ、１２Ｂ：付勢機構、
１３：目地部、                                  １４、１４Ａ：中央目地プレート、
１５：傾斜面、                                  １６：ヒンジ部材、
１７、１７Ａ、１７Ｂ：一方の目地プレート、              
１８、１８Ａ：一方の目地プレート付勢機構、
１９：傾斜面、
２０、２０Ａ、２０Ｂ、２０Ｃ、２０Ｄ：他方の目地プレート、
２１：コイルスプリング、          ２２：他方の目地プレート付勢機構、
２３：シール剤、                  ２４：ボルト挿入孔、
２５：ボルト、                                  ２６：ストッパー片、
２７：スプリング、                ２８：中央目地プレート本体、
２９、２９Ａ：一方の支持片、      ３０：他方の支持片、
３１：ボルト取付片、              ３２：ボルト挿入孔、
３３：ボルト、                                  ３４：ストッパー片、
３５：スプリング、                ３６：一方の目地プレート本体、
３７：モルタル、                  ３８：タイル、
３９：他方の目地プレート本体、    ４０：凹部、
４１：リンク本体、                ４２：枢支ピン、
４３：中央リンク、                ４４：スプリング、
４５：支持片、                    ４６：切欠き部、
４７：ボルト挿入筒、              ４８：ボルト、
４９：ストッパー片、              ５０：スプリング、
５１：アーム、                    ５２：側板、
５３：ヒンジ部材、                ５４：スライドバー、
５５：ストッパー、                ５６：スプリング取付片、
５７：スプリング。
【図１】
2008095321.tif 000003
【図２】
2008095321.tif 000004
【図３】
2008095321.tif 000005
【図４】
2008095321.tif 000006
【図５】
2008095321.tif 000007
【図６】
2008095321.tif 000008
【図７】
2008095321.tif 000009
【図８】
2008095321.tif 000010
【図９】
2008095321.tif 000011
【図１０】
2008095321.tif 000012
【図１１】
2008095321.tif 000013
【図１２】
2008095321.tif 000014
【図１３】
2008095321.tif 000015
【図１４】
2008095321.tif 000016
【図１５】
2008095321.tif 000017
【図１６】
2008095321.tif 000018
【図１７】
2008095321.tif 000019
【図１８】
2008095321.tif 000020
【図１９】
2008095321.tif 000021
【図２０】
2008095321.tif 000022
【図２１】
2008095321.tif 000023
【図２２】
2008095321.tif 000024
【図２３】
2008095321.tif 000025
【図２４】
2008095321.tif 000026
【図２５】
2008095321.tif 000027
【図２６】
2008095321.tif 000028
【図２７】
2008095321.tif 000029
【図２８】
2008095321.tif 000030
【図２９】
2008095321.tif 000031
【図３０】
2008095321.tif 000032
【図３１】
2008095321.tif 000033
【図３２】
2008095321.tif 000034
【図３３】
2008095321.tif 000035
【図３４】
2008095321.tif 000036